(57)【特許請求の範囲】
【請求項１】
光配線架のモジュール収納枠または当該モジュール収納枠内に収納された光接続モジュールに着脱自在に取り付けられ、前記光接続モジュールに接続される光ファイバ心線を保持する光ファイバ保持部材であって、
前記光ファイバ心線の先端に設けられた光コネクタを前面に保持する保持部と、この保持部に固定され、前記モジュール収納枠または前記光接続モジュールと係合する係合部とを備え、
前記保持部と前記係合部とは弾性体で一体的に形成され、
前記保持部は、前記光コネクタが嵌入される保持用凹部を有し、
前記係合部は、前記保持部の下面に固定され、前記モジュール収納枠または前記光接続モジュールに形成された穴部または溝部に嵌入される突起と、前記保持部の下面における前記突起より前面側に固定され、前記突起側に延びる部分を有し、前記モジュール収納枠または前記光接続モジュールを係止する略Ｌ字状の係止片とを有し、
前記突起と前記係止片とで、前記保持部を前後方向に対して拘束する拘束部を構成したことを特徴とする光ファイバ保持部材。
【請求項２】
前記保持用凹部は、開口側に対して広がる断面テーパ形状を有していることを特徴とする請求項１記載の光ファイバ保持部材。
【請求項３】
前記保持部の前面につまみを設けたことを特徴とする請求項１または２記載の光ファイバ保持部材。
【請求項４】
第１光ファイバ心線と第２光ファイバ心線とを、モジュール収納枠に収納された光接続モジュールを介して切り替え可能に接続する光配線架において、
前記モジュール収納枠に、請求項１〜３のいずれか一項記載の光ファイバ保持部材を着脱自在に支持する第１支持部を設けたことを特徴とする光配線架。
【請求項５】
前記光接続モジュールに、前記光ファイバ保持部材を着脱自在に支持する第２支持部を設けたことを特徴とする請求項４記載の光配線架。
【発明の詳細な説明】
【０００１】
【発明の属する技術分野】
本発明は、光接続モジュールと接続される光ファイバ心線を保持する光ファイバ保持部材、および、光接続モジュールが収納される光配線架に関するものである。
【０００２】
【従来の技術】
従来の光配線架としては、例えば特開平９−２５８０３５号公報に記載されているものが知られている。この公報に記載の光配線架は、仕切板によって複数段に仕切られたフレームを有し、このフレームの各段には、複数の光分岐モジュールが左右方向に並べて収納される。この光分岐モジュールの一端部には、局内光ファイバ心線が接続される光コネクタが設けられている。局内光ファイバ心線は、フレームの各段に設けられたトレイを介して接続すべき光分岐モジュールに導かれて接続される。
【０００３】
【発明が解決しようとする課題】
光配線架において、局内光ファイバ心線が予め架内に先行配線される際には、従来では、局内光ファイバ心線を固定したり引き留めたりすることなく、単に束にした状態でトレイ上に放置していた。このようなトレイ上に放置された光ファイバ心線が多いと、フレーム内に収納された光分岐モジュールに局内光ファイバ心線を接続するときには、多数本の光ファイバ心線の中から接続すべき光ファイバ心線を探して取り出す必要がある。この場合には、手間がかかるだけでなく、光ファイバ心線を無理に引っ張って取り出そうとして、光ファイバ心線自体や光ファイバ心線の先端に設けられた光コネクタ等を破損させる可能性があった。
【０００４】
本発明の目的は、先行配線された光ファイバ心線や光コネクタ等の破損を防止することができる光ファイバ保持部材および光配線架を提供することである。
【０００５】
【課題を解決するための手段】
上記の目的を達成するため、本発明は、光配線架のモジュール収納枠または当該モジュール収納枠内に収納された光接続モジュールに着脱自在に取り付けられ、光接続モジュールに接続される光ファイバ心線を保持する光ファイバ保持部材であって、光ファイバ心線の先端に設けられた光コネクタを前面に保持する保持部と、この保持部に固定され、モジュール収納枠または光接続モジュールと係合する係合部とを備え、保持部と係合部とは弾性体で一体的に形成され、保持部は、光コネクタが嵌入される保持用凹部を有し、係合部は、保持部の下面に固定され、モジュール収納枠または光接続モジュールに形成された穴部または溝部に嵌入される突起と、保持部の下面における突起より前面側に固定され、突起側に延びる部分を有し、モジュール収納枠または光接続モジュールを係止する略Ｌ字状の係止片とを有し、突起と係止片とで、保持部を前後方向に対して拘束する拘束部を構成したことを特徴とするものである。
【０００６】
このように構成した本発明においては、例えば、まず光ファイバ保持部材をモジュール収納枠に取り付け、光配線架内に先行配線された光ファイバ心線先端の光コネクタを光ファイバ保持部材の保持部に保持しておく。そして、モジュール収納枠内に光接続モジュールが収納される段階において、光ファイバ保持部材を一旦モジュール収納枠から取り外し、モジュール収納枠内に収納された光接続モジュールに、光ファイバ心線を保持した光ファイバ保持部材を取り付ける。従って、先行配線された光ファイバ心線をトレイ上に放置しておかなくて済み、光接続モジュールに光ファイバ心線を接続するときに、多数本の光ファイバ心線の中から必要とする光ファイバ心線を無理に引っ張って取り出す必要がなくなる。これにより、光ファイバ心線自体や光コネクタ等の破損が防止される。また、多数本の光ファイバ心線の中から接続すべき光ファイバ心線を探して取り出す必要がなくなるため、光ファイバ心線の接続に係る作業性が向上する。
また、保持部と係合部とを弾性体で一体的に形成することにより、光コネクタは保持部の弾性力のみで保持部に保持されるため、光ファイバ保持部材の構造が簡略化され、製作コストも安価となる。また、保持部に保持用凹部を設けることにより、光ファイバ心線を保持部に保持するときは、光コネクタを保持用凹部に差し込むだけでよいので、光ファイバ心線の保持が容易に行える。
さらに、保持部の下面に、係合部を構成する突起及び係止片を設けることにより、光ファイバ保持部材をモジュール収納枠または光接続モジュールに取り付けるときは、突起をモジュール収納枠または光接続モジュールに形成された穴部または溝部に差し込むだけでよいので、光ファイバ保持部材の着脱が容易に行える。
また、突起と係止片とで拘束部を構成することにより、モジュール収納枠または光接続モジュールに取り付けられた光ファイバ保持部材の保持用凹部に対して光コネクタを抜き差しするときに、光ファイバ保持部材が前後方向に動くことが規制されるため、光コネクタの抜き差しがしやすくなる。また、保持用凹部に光コネクタを差し込むときに、光ファイバ保持部材が押し込み方向に傾いて、モジュール収納枠または光接続モジュールから外れてしまうことが防止される。さらに、拘束部を比較的簡単な構造で実現できる。
【０００８】
この場合、保持用凹部は、開口側に対して広がる断面テーパ形状を有しているのが好ましい。これにより、光コネクタを保持用凹部に差し込やすくなり、光ファイバ心線の保持が更に容易に行える。
【００１２】
さらに、好ましくは、保持部の前面につまみを設ける。これにより、複数の光ファイバ保持部材がモジュール収納枠または光接続モジュールに左右方向に近接して取り付けられる場合であっても、光ファイバ保持部材のモジュール収納枠および光接続モジュールへの着脱が容易に行える。
【００１３】
また、上記の目的を達成するため、本発明は、第１光ファイバ心線と第２光ファイバ心線とを、モジュール収納枠に収納された光接続モジュールを介して切り替え可能に接続する光配線架において、モジュール収納枠に、上記の光ファイバ保持部材を着脱自在に支持する第１支持部を設けたことを特徴とするものである。
【００１４】
このように構成した本発明においては、光ファイバ保持部材をモジュール収納枠の第１支持部に取り付け、光配線架内に先行配線された光ファイバ心線の光コネクタを光ファイバ保持部材の保持部に保持しておくので、トレイ上に多数本の光ファイバ心線を放置する必要がない。これにより、光ファイバ心線を光接続モジュールに接続するときに、光ファイバ心線自体や光コネクタ等を破損させることが防止される。
【００１５】
好ましくは、光接続モジュールに、光ファイバ保持部材を着脱自在に支持する第２支持部を設ける。モジュール収納枠に光接続モジュールが収納されると、スペース等の問題で、モジュール収納枠に光ファイバ保持部材を取り付けられなくなる場合には、モジュール収納枠に収納された光接続モジュールの第２支持部に光ファイバ保持部材を取り付けることによって、この場合もトレイ上に多数本の光ファイバ心線を放置しなくて済む。
【００１６】
【発明の実施の形態】
以下、本発明に係る光ファイバ保持部材および光配線架の好適な実施形態について図面を参照して説明する。
【００１７】
図１は本発明に係る光配線架の正面図であり、図２はその光配線架の背面図である。これらの図において、光配線架１は、伝送装置と接続された所内光ケーブル２から延び出た複数本の所内光ファイバ心線３と、加入者側と接続された所外光ケーブル４から延び出た複数本の所外光ファイバ心線５とを、ジャンパコード６を介して切り替え可能に接続するものである。
【００１８】
光配線架１は架枠７を有し、この架枠７上の右側（正面から見て右側）には、複数本の所内光ケーブル２及び複数本の所外光ケーブル４を収容する光ケーブル収容部８が設置されている。この光ケーブル収容部８において、所内光ケーブル２及び所外光ケーブル４は光ケーブル引き止め具９により固定されている。
【００１９】
架枠７内における光ケーブル収容部８の下方には、複数のスプリッタモジュール１０を収納するスプリッタモジュール収納枠１１が設置されている。このスプリッタモジュール収納枠１１内には、スプリッタモジュール１０が積層状態で出し入れ自在に収納されている。スプリッタモジュール１０は、光分配素子（図示せず）により単一の光ファイバ心線を複数本の光ファイバ心線に光分配するものであり、光分配される光ファイバ心線がジャンパコード６として取り出される。スプリッタモジュール１０の後面部に設けられた光コネクタ１０ａには所内光ファイバ心線３が接続されており、これにより所内光ファイバ心線３が光分配素子を介してジャンパコード６と接続される。
【００２０】
スプリッタモジュール収納枠１１の前面側には、複数の整列エレメント１２が積層状態で配置されている。この整列エレメント１２は、各スプリッタモジュール１０から延びる複数本のジャンパコード６を整列状態で保持するものである。
【００２１】
架枠７内の左側には、複数の光カプラモジュール１３を収納する複数段（例えば４段）の光カプラモジュール収納枠１４が設置されている。この光カプラモジュール収納枠１４は左右方向に並設された複数の収納部１４ａを有し、各収納部１４ａに光カプラモジュール１３が出し入れ自在に収納されている。この光カプラモジュール１３の前面部に設けられた光コネクタ１３ａには、スプリッタモジュール１０からのジャンパコード６が接続されると共に、光カプラモジュール１３の後面側に配置された光コネクタ１３ｂには所外光ファイバ心線５が接続されている。また、光カプラモジュール１３内には光カプラ（図示せず）が設けられ、所外光ファイバ心線５とジャンパコード６とが光カプラを介して接続されている。また、光カプラからは試験用光ファイバ（図示せず）が分岐しており、この試験用光ファイバは、光カプラモジュール収納枠１４の下方に配置された光試験装置１５と接続されている。
【００２２】
なお、各光カプラモジュール収納枠１４の前面側には配線トレイ１６が配置されており、ジャンパコード６は配線トレイ１６を介して接続すべき光カプラモジュール１３に導かれ、光コネクタ１３ａに接続される。また、各光カプラモジュール収納枠１４に隣接した位置には心線余長収容部材１７が設けられると共に、各光カプラモジュール収納枠１４の後面側には配線トレイ１８が配置されており、所外光ファイバ心線５は、心線余長収容部材１７で余長を吸収した状態で配線トレイ１８上に導かれ、接続すべき光カプラモジュール１３の光コネクタ１３ｂに接続される。
【００２３】
以上のように構成した光配線架１において、所外光ケーブル４が光ケーブル収容部８に設置された際には、光カプラモジュール１３が光カプラモジュール収納枠１４内に収納される前に、所外光ケーブル４から延び出た複数本の所外光ファイバ心線５が架枠７内に先行配線される。この先行配線された所外光ファイバ心線５を処理するための構成について、以下に説明する。
【００２４】
図３は、先行配線された所外光ファイバ心線５の処理に使用する、本発明に係る光ファイバ保持部材を示す斜視図である。同図において、光ファイバ保持部材２０は、先行配線された所外光ファイバ心線（ここではテープ心線とする）５を保持するものであり、ゴム等の弾性体で構成されている。光ファイバ保持部材２０は、テープ心線５の先端に取り付けられた光コネクタ（ここではＭＴコネクタとする）を前面に保持する保持部２１を有し、この保持部２１には、光コネクタ５ａが嵌入される断面矩形状の２つの保持用凹部２２が上下に形成されている。
【００２５】
この保持用凹部２２は、図４に示すように、開口側に対して広がるテーパ形状を有している。そして、保持用凹部２２底面の幅（水平方向での幅）Ｗａは、光コネクタ５ａの幅Ｗよりもわずかに小さく構成されており、光コネクタ５ａを保持用凹部２２に差し込むと、光ファイバ保持部材２１は弾性変形して光コネクタ５ａを保持できるようになっている。また、保持用凹部２２の開口面近傍での幅Ｗｂは光コネクタ５ａの幅Ｗよりもわずかに大きく構成されており、光コネクタ５ａを保持用凹部２２に差し込みやすくしている。このように光コネクタ５ａを保持用凹部２２に差し込むだけ、テープ心線５を光ファイバ保持部材２１に保持できるので、光ファイバ保持部材２１の構造が簡単であり、製品代も安価となる。
【００２６】
なお、保持用凹部２２は、光コネクタ（ＭＴコネクタ）５ａの外形に合わせて断面矩形状としたが、保持用凹部の形状は特にこれに限らず、断面円形や断面略だ円形等であってもよい。
【００２７】
図３に戻り、保持部２１の下面の後端部には、断面矩形状の突起２３が固定され、保持部２１の下面の前端部には、突起２３側に延びる延在部２４ａを有する略Ｌ字状の係止片２４が固定されている。これら突起２３および係止片２４は、上記の光カプラモジュール収納枠１４および光カプラモジュール１３と係合する係合部を構成すると共に、保持部２１を前後方向に対して拘束する拘束部を構成する。また、保持部２１の前面には、つまみ２５が設けられている。
【００２８】
以上のように構成した光ファイバ保持部材２０は、光カプラモジュール収納枠１４および光カプラモジュール１３に着脱自在に取り付けられる。図５は、光ファイバ保持部材２０が光カプラモジュール収納枠１４に取り付けられた状態を示す側面図であり、図６はその拡大断面図である。
【００２９】
これらの図において、光カプラモジュール収納枠１４の上部には、前後方向に延在したフレーム３０が配置され、このフレーム３０の先端部には、光ファイバ保持部材２０が支持される支持部３１が設けられている。支持部３１は、図７に示すように、光カプラモジュール収納枠１４の各収納部１４ａに対応して左右方向に形成された複数の矩形状の穴部３２を有し、この穴部３２には光ファイバ保持部材２０の突起２３が嵌入される。
【００３０】
このような支持部３１に光ファイバ保持部材２０が取り付けられている時は、穴部３２に突起２３が嵌入されると共に、支持部３１の先端部が係止片２４に係止された状態となる。このとき、突起２３は弾性変形した状態で穴部３２に嵌入されており、光ファイバ保持部材２０の左右方向および前後方向の移動が規制されている。これにより、光コネクタ５ａを保持用凹部２２に対して抜き差しするときに、光ファイバ保持部材２０が動くことはほとんど無い。また、支持部３１が係止片２４に係止されているので、保持用凹部２２に光コネクタ５ａを差し込むときに、その時の力で保持部２１が押し込み方向（図５で見て左側）に倒れて、光ファイバ保持部材２０が穴部３２から抜けてしまうことを防止できる。
【００３１】
図８は、光カプラモジュール収納枠１４に収納された光カプラモジュール１３に光ファイバ保持部材２０が取り付けられた状態を示す図であり、図９はその拡大断面図である。
【００３２】
これらの図において、光カプラモジュール１３の上部には、後面側（図８で見て右側）に延在し、光ファイバ保持部材２０が支持される支持部３３が設けられている。この支持部３３は、光カプラモジュール収納枠１４に光カプラモジュール１３が収納されたときに、フレーム３０の先端から突出するように構成されている。支持部３３の先端部には、図１０に示すような段状溝部３４が形成されている。この段状溝部３４の溝下段部３４ａを形成する両側壁には、１対の突起片３５が設けられている。この突起片３５は、その上面が支持部３３の上面と面一になると共に、側面が溝上段部３４ｂを形成する両側壁と面一になるように形成されている。
【００３３】
このような支持部３３に光ファイバ保持部材２０が取り付けられている時は、溝上段部３４ｂに突起２３が嵌入されると共に、溝下段部３４ａの底面と１対の突起片３５との間の空間Ｓに係止片２４の延在部２４ａが入り込み、１対の突起片３５が係止片２４に係止された状態となる。このとき、突起２３は弾性変形した状態で溝上段部３４ｂに嵌入されると共に、延在部２４ａは弾性変形した状態で空間Ｓに入り込む。このため、光ファイバ保持部材２０は、突起２３および係止片２４により左右方向および前後方向の移動が規制されている。また、突起片３５が係止片２４に係止されているので、挿入用凹部２２に光コネクタ５ａを差し込むときに、光ファイバ保持部材２０が押し込み方向に倒れて支持部３３から外れることを防止できる。
【００３４】
次に、架枠７内に先行配線された所外光ファイバ心線５を光ファイバ保持部材２０に保持する手順について説明する。なお、先行配線された所外光ファイバ心線５が接続される光カプラモジュール１３が、光カプラモジュール収納枠１４のどの収納部１４ａに収納されるかは、予め決められている。
【００３５】
まず、複数の光ファイバ保持部材２０を、光カプラモジュール収納枠１４の支持部３１に取り付ける。そして、先行配線された所外光ファイバ心線５先端の光コネクタ５ａを、接続すべき光カプラモジュール１３が収納される収納部１４ａの前面部に配置された光ファイバ保持部材２０の保持用凹部２２に差し込む。
【００３６】
その後、光カプラモジュール１３が光カプラモジュール収納枠１４に収納されるときには、光ファイバ保持部材２０を支持部３１から取り外した後、光カプラモジュール１３を収納部１４ａに収納する。そして、所外光ファイバ心線５を保持した状態の光ファイバ保持部材２０を光カプラモジュール１３の支持部３３に取り付ける。
【００３７】
このように光ファイバ保持部材２０を光カプラモジュール収納枠１４から光カプラモジュール１３に付け替えるのは、光カプラモジュール収納枠１４の支持部３１に光ファイバ保持部材２０が取り付けられていると、光カプラモジュール１３の支持部３３が光ファイバ保持部材２０の係止片２４に当たって、光カプラモジュール１３を光カプラモジュール収納枠１４に収納できなくなる事を考慮してのことである。従って、そのようなスペース上の不具合が生じない場合には、光ファイバ保持部材２０を光カプラモジュール収納枠１４に取り付けたままの状態にしても構わない。
【００３８】
その後、所外光ファイバ心線５を光カプラモジュール１３の光コネクタ１３ｂに接続する際には、光コネクタ５ａを光ファイバ保持部材２０の保持用凹部２２から引き抜き、光コネクタ１３ｂに接続する。
【００３９】
以上のように本実施形態にあっては、光カプラモジュール収納枠１４および光カプラモジュール１３に光ファイバ保持部材２０を取り付け、この光ファイバ保持部材２０の保持用凹部２２に、先行配線された光ファイバ心線５を整然と保持するようにしたので、先行配線された光ファイバ心線５の先端部分がトレー１８上に放置されることは無い。したがって、光カプラモジュール収納枠１４内に収納された光接続モジュール１３に光ファイバ心線５を接続するときに、多数本の光ファイバ心線５の中から接続すべき光ファイバ心線５を無理に引っ張って取り出す必要がなくなる。これにより、光ファイバ心線５自体や光コネクタ５ａの破損を回避できる。
【００４０】
また、上記のように多数本の光ファイバ心線５の中から必要な光ファイバ心線５を探して取り出さなくて済むばかりでなく、光ファイバ心線５の余長を予め心線余長収容部材１７に収容しておくことによって光ファイバ心線５の接続時に余長を吸収する手間が省ける。これにより、光ファイバ心線５の接続を行う作業時間が短縮され、作業性が向上する。
【００４１】
さらに、１つの光ファイバ保持部材２０を光カプラモジュール収納枠１４にも光カプラモジュール１３にも取り付けることができるので、コスト的にも極めて有効である。
【００４２】
また、光ファイバ保持部材２０を弾性体で構成したので、光ファイバ心線５の光ファイバ保持部材２０への保持が容易に行える。さらに、光ファイバ保持部材２０の前面につまみ２５を設けたので、複数の光ファイバ保持部材２０が近接して設置されていても、光ファイバ保持部材２０の着脱が容易に行える。
【００４３】
以上、本発明に係る光配線架の一実施形態について説明してきたが、本発明は上記実施形態に限定されないことは言うまでもない。例えば、上記実施形態では、光カプラモジュール収納枠１４と光カプラモジュール１３とで、光ファイバ保持部材２０を支持するための構造が異なっているが、もちろん同じような構造であってもよい。
【００４４】
また、上記実施形態では、光ファイバ保持部材を弾性体で構成し、その弾性力のみで光ファイバ心線５の保持や、光ファイバ保持部材の光カプラモジュール１３及び光カプラモジュール収納枠１４への着脱を行うものとしたが、光ファイバ保持部材は特にこれに限られず、ネジ等を用いて光ファイバ心線５の保持や光ファイバ保持部材の着脱を行うもの等、他のタイプのものであってもよい。
【００４５】
また、上記実施形態の光配線架は、スプリッタモジュール１０、整列エレメント１２、光カプラモジュール１３が架枠７内に収納されるものであるが、本発明は、局内光ファイバ心線と局外光ファイバ心線とを、左右方向に並設される光接続モジュールを介して切り替え可能に接続する全ての光配線架に適用可能である。
【００４６】
【発明の効果】
本発明によれば、モジュール収納枠または光接続モジュールに光ファイバ保持部材を取り付け、この光ファイバ保持部材の保持部に先行配線された光ファイバ心線を保持するので、多くの光ファイバ心線をトレイ上に放置しなくて済み、これにより光ファイバ心線自体や光コネクタ等の破損を防止できる。
【図面の簡単な説明】
【図１】本発明に係る光配線架を示す正面図である。
【図２】本発明に係る光配線架を示す背面図である。
【図３】本発明に係る光ファイバ保持部材を示す斜視図である。
【図４】光ファイバ保持部材に形成された保持用凹部と光コネクタとの寸法関係を示す図である。
【図５】光カプラモジュール収納枠に光ファイバ保持部材が取り付けられた状態を示す側面図である。
【図６】光カプラモジュール収納枠に光ファイバ保持部材が取り付けられた状態を示す拡大断面図である。
【図７】光カプラモジュール収納枠に設けられた支持部を示す平面図である。
【図８】光カプラモジュールに光ファイバ保持部材が取り付けられた状態を示す側面図である。
【図９】光カプラモジュールに光ファイバ保持部材が取り付けられた状態を示す拡大断面図である。
【図１０】光カプラモジュールに設けられた支持部を示す斜視図である。
【符号の説明】
１…光配線架、３…所内光ファイバ心線（第１光ファイバ心線）、５…所外光ファイバ心線（第２光ファイバ心線）、５ａ…光コネクタ、１３…光カプラモジュール（光接続モジュール）、１４…光カプラモジュール収納枠（モジュール収納枠）、２０…光ファイバ保持部材、２１…保持部、２２…保持用凹部、２３…突起（係合部、拘束部）、２４…係止片（係合部、拘束部）、２５…つまみ、３１…支持部（第１支持部）、３２…穴部、３３…支持部（第２支持部）３４ｂ…溝上段部。
【図１】
0003543074.tif 000002
【図２】
0003543074.tif 000003
【図３】
0003543074.tif 000004
【図４】
0003543074.tif 000005
【図５】
0003543074.tif 000006
【図６】
0003543074.tif 000007
【図７】
0003543074.tif 000008
【図８】
0003543074.tif 000009
【図９】
0003543074.tif 000010
【図１０】
0003543074.tif 000011